(57)【要約】      （修正有）【課題】床面及び地面にタイルなどを敷き並べてタイル床を構築するに際し、耐水性の十分でないタイルも敷設可能な構造を提供する。【解決手段】タイル３１とタイル３１間に箱状部材１５と箱状部材１５の長さ方向に沿って立設された凸形状の枠部３を設け、枠部３の付け根には、凹形状の水抜き穴２０を穿設する構造により、雨水等を水抜き穴２０から排水し、表面には水が溜まらない様にし、耐水性が十分でない材質のタイル３１も敷設可能とできる構造である。【選択図】図１
2013139682.tif 000002
【特許請求の範囲】
【請求項１】
床面及び地面にタイル等を敷き並べて構築するに際し、タイルが丁度整数枚納まる広さのタイル敷地面である床面及び地面等において、プレート枠１で構成され、枠内にタイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の付け根には、凹形状の水抜き穴２０を穿設し、前記箱状部材１５の下側長さ方向には貫通溝２４が設けられていると共に、前記箱状部材１５の下端縁を切り欠いて形成される貫通排水溝２２及び排水溝２３が設けられている事を特徴とするタイル敷設構造。
【請求項２】
請求項１を構成する部品であるプレート枠１において、枠部３の長さ方向の一方の端部は、前記箱状部材１５の端部から突出しており、前記枠部３の突出部下面には、ガイド柱６が設けられ、該ガイド柱６に対面する端面１７ａには、突起部７が設けられると共に、前記箱状部材１５の長さ方向の他の端面１７ｂと側面１６の両方、もしくは片方には穴２及び係合部８が設けられ、前記ガイド柱６と前記穴２とが嵌合されると共に、前記突起部７と前記係合部８とが互いに係合される事を特徴とするタイル敷設構造。
【請求項３】
請求項１を構成する部品であるプレート枠１において、プレート枠１が４方向の外側に設置されると共に一体の形状として枠体を構成される事を特徴とするタイル敷設構造。
【請求項４】
請求項１を構成する部品であるプレート枠１において、水抜き穴２０を下から見た状態で、水抜き穴２０を塞ぐ板状の設置平面部１３が設けられていることを特徴とするタイル敷設構造。
【発明の詳細な説明】
【技術分野】
【０００１】  本発明は、屋上やバルコニー等にタイルを敷設する場合に好適なタイル敷設構造として排水構造を設けた枠体を敷設し、その枠体にタイルを配列した構造に関する。
【背景技術】
【０００２】  床面及び地面にタイル等を敷き並べて構築するに際し、タイルが丁度整数枚納まる広さのタイルの敷設面である床面等において、屋上、バルコニー、ベランダ、テラス、土間、コンクリート引きの廊下等を手軽にタイル敷設面とすることができるタイルユニットが近年普及している。タイルユニットは、通常、方形の合成樹脂製のベースと、このベースの上面に接着剤等で固着されたタイルとを備えており、敷設面には複数枚のタイルユニットが敷きつめられており、表面をタイルで覆う事により、見栄え良く配置されると共に、雨が降った際には、タイルユニット同士間から水が敷設面に排水されるので、タイルユニットのタイル面には水が溜まり難くなっている。【０００３】  このタイルユニットの排水構造に関わる従来の発明としては、例えば特開平９−７２０７１号公報記載の技術がある。本発明は、防水加工をしていない床面に敷設して排水性を確保することができる複合床材であり、基材の外周縁部の各辺に突設した係合レール部同士、またはこの係合レール部を樋部材に係合することで複合床材同士を連結させた状態で、基材の周縁に排水樋を形成し、この排水樋を利用して複合床材の表面に溜まった雨水などを排水することができるので防水加工を施していない床面に敷設しても排水性を確保する効果が得られる構造となっている。【０００４】  更に、特開平２００２−２１３０６８号公報記載の技術によると、弾性マットが複数列を形成するように床面上に敷設され、この列に跨るようにタイルが敷設されてなるもので弾性マットの列を水勾配方向とする事により、水が弾性マットの列間をスムーズに流れ下り、弾性マットにゴミが引掛る事が防止できる効果が得られる構造となっている。
【発明の概要】
【発明が解決しようとする課題】
【０００５】  しかしながら、特開平９−７２０７１号公報記載の技術では、雨量が多くなってしまった場合、排水樋に水が川の様に流れるものの、排水樋に溜まった状態のままになり易い構造であると共に、排水樋の水を許容する容量を超えてしまった場合には、タイルの上面に水が溢れてしまうという問題があった。また、特開平２００２−２１３０６８号公報記載の技術では、弾性マットが複数列を形成するように床面上に敷設され、この列に跨るようにタイルが敷設されている構造であり、タイルの真下にある弾性マットを通過して水が流れる事により、タイル自体の下面に水分が飛着したり、浸かってしまったりするという問題があった。以上の事から、従来の発明において、タイルの材質として使用可能となるのは、セラミックやコンクリート等の水に対して劣化し難い材質に限られるという課題があった。
【課題を解決するための手段】
【０００６】  本願の発明はこのような課題を解決するためになされ、その具体的解決手段として、従来のタイルユニットの排水構造が、樹脂製のベースと該ベース上にあるタイルを備えていた構造の中で、タイルとタイル間にあって目地の位置にそのまま排水構造を設けているのに対して、タイルとタイル間に箱状部材１５と前記箱状部材１５の長さ方向に沿って立設された凸形状の枠部３を設け、前記枠部３の付け根には、凹形状の水抜き穴２０を穿設する構造により、雨水等を前記水抜き穴２０から受入れ、タイル表面には水が溜まらない構造とする事で、耐水性が十分でない材質のタイルも敷設可能とできる構造である。
【発明の効果】
【０００７】  従って、タイルの下面に水分の飛着、あるいは浸かる事もなく排水してしまう構造となっており、水に対して劣化し難い材質だけでなく、水に弱い木材等をも使用する事が可能なものである。また、枠に囲まれた空間に敷設できる構造である事から、タイルやブロックだけでなく、小さな石や植物をも枠体に組込むことができる構造としたものであり、地球温暖化対策に向けて、芝生や草花等の二酸化炭素の排出量低減に効果のある植物を使用して配列よく敷設できるものである。
【図面の簡単な説明】
【０００８】
【図１】本発明の実施形態におけるプレート枠の下側からの斜視図
【図２】本発明の実施形態におけるプレート枠の上側からの斜視図
【図３】本発明の実施形態におけるプレート枠の断面図
【図４】本発明の実施形態におけるプレート枠の連結状態前後の斜視図
【図５】本発明の実施形態におけるプレート枠の連結状態の断面拡大図
【図６】本発明の実施形態におけるプレート枠へのタイル設置時の斜視図
【図７】本発明の実施形態におけるプレート枠へのタイル設置時の断面図
【図８】本発明の実施形態におけるプレート枠へのタイル設置前後の斜視図
【発明を実施するための形態】
【０００９】  以下、本発明の連結構造についての詳しい技術的構成を実施例に則して、かつ、図面を参照して具体的に説明する。
【００１０】  図面により、本発明を説明する。本発明の実施形態において、プレート枠１は主要な合成樹脂製の構成部材である。例えば、合成樹脂の単独、あるいは、木屑、再生プラスチックス等の充填剤を高配合させたＰＥ、ＰＰ、ポリアミドなどの可とう性のある合成樹脂、更には、耐候性安定剤や防虫剤などの添加剤を配合した合成樹脂等で構成すればよい。また、可とう性や耐候性のあるステンレスなどの金属を使用してもよい。
【００１１】  図１は、本発明の実施形態におけるプレート枠の下側からの斜視図であり、床面及び地面にタイル等を敷き並べて構築するに際し、タイルが丁度整数枚納まる広さのタイルの敷地面である床面及び地面等において、プレート枠１で構成され、枠内にタイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の付け根には、凹形状の水抜き穴２０を穿設し、前記箱状部材１５の下側長さ方向には貫通溝２４が設けられていると共に、前記箱状部材１５の下端縁を切り欠いて形成される貫通排水溝２２及び排水溝２３が設けられている。更に、水抜き穴２０を下から見た状態で、水抜き穴２０を塞ぐ板状の設置平面部１３が設けられている。
【００１２】  図２は、本発明の実施形態におけるプレート枠の上側からの斜視図であり、プレート枠１にある枠部３の長さ方向の一方の端部は、前記箱状部材１５の端部から突出しており、前記枠部３の突出部下面には、ガイド柱６が設けられ、該ガイド柱６に対面する端面１７ａには、突起部７が設けられると共に、前記箱状部材１５の長さ方向の他の端面１７ｂと側面１６の両方、もしくは片方には穴２及び係合部８が設けられ、前記ガイド柱６と前記穴２とが嵌合されると共に、前記突起部７と前記係合部８とが互いに係合される。
【００１３】  図３は、本発明の実施形態におけるプレート枠の断面図であり、プレート枠１の正面から半分を切断した状態で、側面方向から見た時の断面図である。図３の中間位置に、水抜き穴２０があり、水抜き溝２１がその下に位置している。更に、最下位置には、貫通排水溝２２と貫通溝２４が構成されている。また、プレート枠１を複数個使用して、連結する場合は、図３の左側位置のガイド柱６が、右側位置にある穴２に嵌り込む事により、連結位置寸法を精度の高いものとしている。
【００１４】  図４は、本発明の実施形態におけるプレート枠の連結状態前後の斜視図であり、プレート枠１を６個使用している。構成枠部３の長さ方向の一方の端部は、前記箱状部材１５の端部から突出しており、前記枠部３の突出部下面には、ガイド柱６が設けられ、該ガイド柱６に対面する端面１７ａには、突起部７が設けられ、前記箱状部材１５の長さ方向の他の端面１７ｂと側面１６の両方、もしくは片方には穴２及び係合部８が設けられ、前記ガイド柱６と前記穴２とが嵌合されると共に、前記突起部７と前記係合部８とが互いに係合されて枠を構成し、囲まれた空間としている。
【００１５】  本発明の実施形態の枠内には、タイルやブロック、木製タイル、人工芝、芝生養成ブロック等に使用できるものである。尚、雨等がプレート枠１の枠内設置されたタイルに降った場合、タイル等からタイルの外周部分に水が流れ、その後、タイルとプレート枠１の枠部３との間に流れ落ち、水抜き穴２０を経由して最下位置にある貫通排水溝２２に至る。前記貫通排水溝２２では、４箇所の水抜き穴２０から入った雨水が集まり、貫通溝２４を通過して、枠外に排水される構造となっている。
【００１６】  図５は、本発明の実施形態におけるプレート枠の連結状態の断面拡大図であり、プレート枠１における雨水等の排水経路の形状を斜視図で示したものである。タイルとタイル枠１の隙間から水が水抜き穴２０に入り込み、水抜き穴２０からタイル下面の箱状部材１５の中に入り込んでしまうので、タイル自体が水に浸かる事はない。水抜き穴２０の下側は、水の量が少ない場合は、仕切り壁１２により、両側凹空間１０には殆ど洩れず、箱状部材１５最下位置にある貫通排水溝２２を通過し、貫通溝２４から枠外に排水される。水抜き穴２０から箱状部材１５の中に入り込む水量が多くなった場合、貫通溝２４からだけの排水では、対処しきれなくなる。その水嵩が増した際は、片側４箇所に設けられ左右に８箇所ある水抜き穴２０の直下に位置する水抜き溝２１からも排水される様になり、降水量の増加にも対応可能であると共に、排水位置の分散も可能である事から、地面への偏った雨溜まりを防げる構造である。
【００１７】  図６は、本発明の実施形態におけるプレート枠へのタイル設置時の斜視図であり、プレート枠内にタイル３１が敷設されている。図７は、本発明の実施形態におけるプレート枠へのタイル設置時の断面図であり、タイル３１とタイル３１の間には枠部３が構成され、タイル３１から水抜き穴２０への受水する隙間を図示している。受水の隙間は大きい寸法であれば受水する量を多くする事が可能であるものの、水と共に草や葉等が一緒に入り込んでしまい、受水経路を塞いでしまう懸念がある。しかしながら、本発明の構造とすればプレート枠１に構成されている枠部３とタイル３１によって、隙間に草や葉等をガードし、入り込む懸念を抑えるので、安定した雨水の受水を実現する構造である。尚、中央凹空間１１は、枠体３の位置にあり、両側凹空間１０に対して深い空間となっている。また、排水は空間３２の場所に分散されて排出される。
【００１８】  図８は、本発明の実施形態におけるプレート枠へのタイル３１設置前後の斜視図であり、図８（ａ）は、タイル３１を敷設する前の状態である。枠に囲まれた空間の構成は複数個のプレート枠１同士を連結結合させても、あるいは枠体を一体の形状で構成させてもよいものである。図８（ｂ）は、図８（ａ）で完成した枠体にタイル３１を敷設した状態である。尚、枠体には雨水の侵入口である水抜き穴２０と排水口である排水溝２３が一定の間隔で分散して配置されており、効率の良い排水処置ができる構造となっている。
【産業上の利用可能性】
【００１９】  本発明は、排水構造を設けた直線形状のプレート枠１を使用する事により、タイル３１とプレート枠１間の隙間に草や葉等が入り込む懸念が少なく、安定した排水が実現できる構造として、対応できるものであり、雨水の量に応じて排水能力を増減できるものであって、屋上やベランダをはじめ庭園などの室内や室外に対してタイル３１等を枠内に納めて敷設できるものである。尚、プレート枠１は、樹脂等の軽い材質でできているので、設置作業も手軽にできて、効率的にでき、拡張や変更にも容易に対応できるものである。
【符号の説明】
【００２０】  １        ・・・・プレート枠
２        ・・・・穴
３        ・・・・枠部
４        ・・・・ロック溝
５        ・・・・ロック保護壁
６        ・・・・ガイド柱
７        ・・・・突起部
８        ・・・・係合部
１２      ・・・・仕切り壁
１３      ・・・・設置平面部
１５      ・・・・箱状部材
１６      ・・・・側面
１７      ・・・・端面
２０      ・・・・水抜き穴
２１      ・・・・水抜き溝
２２      ・・・・貫通排水溝
２３      ・・・・排水溝
２４      ・・・・貫通溝
３０      ・・・・床面
３１      ・・・・タイル
【図１】
2013139682.tif 000003
【図２】
2013139682.tif 000004
【図３】
2013139682.tif 000005
【図４】
2013139682.tif 000006
【図５】
2013139682.tif 000007
【図６】
2013139682.tif 000008
【図７】
2013139682.tif 000009
【図８】
2013139682.tif 000010
【手続補正書】
【提出日】平成24年6月3日(2012.6.3)
【手続補正１】
【補正対象書類名】特許請求の範囲
【補正対象項目名】請求項１
【補正方法】変更
【補正の内容】
【請求項１】
床面及び地面にタイル等を敷き並べて構築するに際し、タイルが丁度整数枚納まる広さのタイル敷地面である床面及び地面等において、プレート枠１で構成され、枠内にタイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の付け根には、凹形状の水抜き穴２０を穿設し、前記箱状部材１５の下側が開口する中央凹空間１１は、前記水抜き穴２０に隣接し、且つ、前記中央凹空間１１と前記水抜き穴２０と一対となって構成され、複数個が長さ方向に連なると共に、前記中央凹空間１１同士の間にある隔壁２５を切り欠いた貫通溝２４が設けられると共に、前記中央凹空間１１と前記箱状部材１５の幅方向の両側にある側面１６の間には、左右其々に両側凹空間１０があって、前記中央凹空間１１と前記両側凹空間１０の間にある仕切り壁１２を切り欠いて構成する水抜き溝２１が設けられていると共に、前記側面１６を切り欠いて形成される貫通排水溝２２、排水溝２３の両方、もしくは片方が設けられている事を特徴とするタイル敷設構造。
【手続補正２】
【補正対象書類名】明細書
【補正対象項目名】００１１
【補正方法】変更
【補正の内容】
【００１１】  図１は、本発明の実施形態におけるプレート枠の下側からの斜視図であり、床面及び地面にタイル等を敷き並べて構築するに際し、タイルが丁度整数枚納まる広さのタイルの敷地面である床面及び地面等において、プレート枠１で構成され、枠内にタイルや植物等を設置する枠を構築する構造において、複数個のプレート枠１で連結させて枠を構成するものであり、前記プレート枠１は下側に開口する細長の箱状部材１５と、前記箱状部材１５の表面の幅方向中央より垂直に、且つ当該箱状部材１５の長さ方向に沿って立設された凸形状の枠部３を備え、前記枠部３の付け根には、凹形状の水抜き穴２０を穿設し、前記箱状部材１５の下側が開口する中央凹空間１１は、前記水抜き穴２０の真下に位置し、且つ、前記中央凹空間１１と前記水抜き穴２０と一対となって構成され、複数個が長さ方向に連なると共に、前記中央凹空間１１同士の間にある隔壁２５を切り欠いた貫通溝２４が設けられると共に、前記中央凹空間１１と前記箱状部材１５の幅方向の両側にある側面１６の間には、左右其々に両側凹空間１０があって、前記中央凹空間１１と前記両側凹空間１０の間にある仕切り壁１２を切り欠いて構成する水抜き溝２１が設けられていると共に、前記側面１６を切り欠いて形成される貫通排水溝２２、排水溝２３の両方、もしくは片方が設けられている。更に、水拔き穴２０を下から見た状態で、水抜き穴２０を塞ぐ板状の設置平面部１３が設けられている。
【手続補正３】
【補正対象書類名】明細書
【補正対象項目名】００１３
【補正方法】変更
【補正の内容】
【００１３】  図３は、本発明の実施形態におけるプレート枠の断面図であり、プレート枠１の正面から半分を切断した状態で、側面方向から見た時の断面図である。箱状部材１５の下側が開口する中央凹空間１１は、前記水抜き穴２０に隣接し、且つ、前記中央凹空間１１と前記水抜き穴２０と一対となって構成され、複数個が長さ方向に連なると共に、前記中央凹空間１１同士の間にある隔壁２５を切り欠いた貫通溝２４が設けられると共に、前記中央凹空間１１と前記箱状部材１５の幅方向の両側にある図１に示す側面１６の間には、左右其々に両側凹空間１０があって、前記中央凹空間１１と前記両側凹空間１０の間にある仕切り壁１２を切り欠いて構成する水抜き溝２１が設けられている。前記水抜き穴２０に水が入り込むと、水は中央凹空間１１に移動し、一方のルートは、貫通溝２４を経由して、貫通排水溝２２から排水される。もう一方のルートは、中央凹空間１１から水抜き溝２１を通過し、両側凹空間１０に至った後、排水溝２３から排水される。また、プレート枠１を複数個使用して、連結する場合は、図３の左側位置のガイド柱６が、右側位置にある穴２に嵌り込む事により、連結位置寸法を精度の高いものとしている。
【手続補正４】
【補正対象書類名】明細書
【補正対象項目名】００１６
【補正方法】変更
【補正の内容】
【００１６】  図５は、本発明の実施形態におけるプレート枠の連結状態の断面拡大図であり、プレート枠１における雨水等の排水経路の形状を斜視図で示したものである。タイルとプレート枠１の隙間から水が水抜き穴２０に入り込み、水抜き穴２０からタイル下面の箱状部材１５の中に入り込んでしまうので、タイル自体が水に浸かる事はない。水抜き穴２０の下側は、水の量が少ない場合は、仕切り壁１２により、両側凹空間１０には殆ど洩れず、箱状部材１５最下位置にある貫通排水溝２２を通過し、貫通溝２４から枠外に排水される。水抜き穴２０から箱状部材１５の中に入り込む水量が多くなった場合、貫通溝２４からだけの排水では、対処しきれなくなる。その水嵩が増した際は、片側４箇所に設けられ左右に８箇所ある水抜き穴２０の直下に位置する水抜き溝２１からも排水される様になり、降水量の増加にも対応可能であると共に、排水位置の分散も可能である事から、地面への偏った雨溜まりを防げる構造である。
【手続補正５】
【補正対象書類名】明細書
【補正対象項目名】００２０
【補正方法】変更
【補正の内容】
【００２０】１          ・・・・プレート枠
２          ・・・・穴
３          ・・・・枠部
４          ・・・・ロック溝
５          ・・・・ロック保護壁
６          ・・・・ガイド柱
７          ・・・・突起部
８          ・・・・係合部
１０        ・・・・両側凹空間
１１        ・・・・中央凹空間
１２        ・・・・仕切り壁
１３        ・・・・設置平面部
１５        ・・・・箱状部材
１６        ・・・・側面
１７        ・・・・端面
２０        ・・・・水抜き穴
２１        ・・・・水抜き溝
２２        ・・・・貫通排水溝
２３        ・・・・排水溝
２４        ・・・・貫通溝
２５        ・・・・隔壁
３０        ・・・・床面
３１        ・・・・タイル
【手続補正６】
【補正対象書類名】図面
【補正対象項目名】図３
【補正方法】変更
【補正の内容】
【図３】
2013139682.tif 000011